(57)【要約】  本発明は、食品調理機（２００）及び食品調理機（２００）用電源基板アセンブリ（４０）、スタンド（１００）を提供し、電源基板アセンブリ（４０）は、取り付けブラケット（４１）、電源基板（４３）及びフィルタリング基板（４２）を含み、電源基板（４３）及びフィルタリング基板（４２）は、取り付けブラケット（４１）の互いに背向する両側にそれぞれ取り付けられ、電源基板（４３）及びフィルタリング基板（４２）は、ワイヤを介して電気的に接続される。
2021513384.tif 000002
【特許請求の範囲】
【請求項１】
取り付けブラケットと、
電源基板及びフィルタリング基板とを含み、前記電源基板及び前記フィルタリング基板が前記取り付けブラケットの互いに背向する両側にそれぞれ取り付けられ、前記電源基板及び前記フィルタリング基板がワイヤを介して電気的に接続される、
ことを特徴とする食品調理機用電源基板アセンブリ。
【請求項２】
前記電源基板がねじ止め及び係止構造のうちの少なくとも１つを介して前記取り付けブラケットに固定され、且つ／又は
前記フィルタリング基板がねじ止め及び前記係止構造のうちの少なくとも１つを介して前記取り付けブラケットに固定される、
ことを特徴とする請求項１に記載の電源基板アセンブリ。
【請求項３】
前記取り付けブラケットに複数の第１係止フック及び複数の第２係止フックが設けられ、複数の前記第１係止フックが前記電源基板に係止され、複数の前記第２係止フックが前記フィルタリング基板に係止される、
ことを特徴とする請求項２に記載の電源基板アセンブリ。
【請求項４】
前記取り付けブラケットは、互いに対向する２対の両端を含み、前記電源基板の対向する両端を前記取り付けブラケットに係止させるように、複数の前記第１係止フックが前記取り付けブラケットの対向する１対の両端に設けられ、且つ各端に少なくとも１つの前記第１係止フックが設けられ、前記フィルタリング基板を前記取り付けブラケットに係止させるように、複数の前記第２係止フックが前記取り付けブラケットの他方の対向する１対の両端に設けられ、且つ各端に少なくとも１つの第２係止フックが設けられる、
ことを特徴とする請求項３に記載の電源基板アセンブリ。
【請求項５】
前記第１係止フック及び前記第２係止フックのうちの少なくとも１つは、
一端が前記取り付けブラケットに接続されるアーム部と、
前記アーム部の他端に設けられ、前記アーム部の側面から突出するとともに、且つ前記電源基板又は前記フィルタリング基板が前記取り付けブラケットに取り付けられる際に、前記電源基板又は前記フィルタリング基板をストッパすることに適するフック部と、を含む、
ことを特徴とする請求項３又は４に記載の電源基板アセンブリ。
【請求項６】
前記アーム部は板状に形成され、前記アーム部と前記取り付けブラケットとの接続箇所に補強構造が設けられる、
ことを特徴とする請求項５に記載の電源基板アセンブリ。
【請求項７】
前記取り付けブラケットの前記電源基板に向かう側面に突出した第１支持構造が設けられ、前記電源基板が前記第１支持構造に支持され、且つ／又は
前記取り付けブラケットの前記フィルタリング基板に向かう側面に突出した第２支持構造が設けられ、前記フィルタリング基板が前記第２支持構造に支持される、
ことを特徴とする請求項３〜６のいずれか一項に記載の電源基板アセンブリ。
【請求項８】
前記第１支持構造及び前記第２支持構造のうちの少なくとも１つは、
前記取り付けブラケットの周方向に沿って間隔をあけて設置され、前記電源基板又は前記フィルタリング基板のエッジを支持する複数の縁部支持部、及び／又は
前記電源基板又は前記フィルタリング基板の中部を支持するための複数の中部支持部、を含む、
ことを特徴とする請求項７に記載の電源基板アセンブリ。
【請求項９】
前記縁部支持部は、
前記第１係止フック又は前記第２係止フックに隣接して設置される支持板を含み、前記支持板が略Ｕ字状に形成され、前記第１係止フック又は前記第２係止フックが前記支持板のＵ字状開口部に設けられる、
ことを特徴とする請求項８に記載の電源基板アセンブリ。
【請求項１０】
前記取り付けブラケットの少なくとも一端に前記取り付けブラケットを貫通するとともに、ワイヤを穿設するための通線口が設けられる、
ことを特徴とする請求項１〜９のいずれか一項に記載の電源基板アセンブリ。
【請求項１１】
前記電源基板及び前記フィルタリング基板を接続するワイヤが前記通線口内に穿設される、
ことを特徴とする請求項１０に記載の電源基板アセンブリ。
【請求項１２】
前記通線口が前記取り付けブラケットのエッジまで延在する開口構造であり、前記通線口にワイヤハネスを係止するためのワイヤ係止構造が設けられる、
ことを特徴とする請求項１０に記載の電源基板アセンブリ。
【請求項１３】
前記ワイヤ係止構造は、
一端が前記取り付けブラケットのエッジに接続され、前記取り付けブラケットのエッジと共に前記通線口を画定するワイヤ係止板と、
前記ワイヤ係止板の前記取り付けブラケットのエッジに向かう内面に設けられ、且つ前記ワイヤ係止板の他端に隣接して設置される、係止凸部と、を含む、
ことを特徴とする請求項１２に記載の電源基板アセンブリ。
【請求項１４】
前記電源基板及び前記フィルタリング基板のエッジに前記ねじ止めを固定させるための固定孔がそれぞれ設けられる、
ことを特徴とする請求項２に記載の電源基板アセンブリ。
【請求項１５】
前記食品調理機の調理容器がスタンドに着脱可能に設けられ、前記スタンドは、
内部に取り付けキャビティが形成されるハウジングと、
前記取り付けキャビティ内に設けられ、且つ前記調理容器が前記スタンドに設けられる際に、食品処理部材の前記調理容器に対する回転を駆動するように、前記調理容器内に入り込む前記食品処理部材と伝動的に接続される動力アセンブリと、
前記ハウジングの上部に取り付けられ、前記動力アセンブリの後上方に位置し、且つ前記調理容器が前記スタンドに置かれる際に、前記調理容器にカップリングし接続されるカプラと、
前記取り付けキャビティ内に設けられ、且つ前記動力アセンブリと電気的に接続され、前記カプラと水平方向においてずらして設置される請求項１〜１４のいずれか一項に記載の電源基板アセンブリと、を含む、
ことを特徴とする食品調理機用スタンド。
【請求項１６】
前記電源基板アセンブリの垂直投影が前記カプラの垂直投影と重ならない、
ことを特徴とする請求項１５に記載の食品調理機用スタンド。
【請求項１７】
前記取り付けキャビティ内に設けられ、且つ前記電源基板アセンブリから離れるように設置されるコンデンサアセンブリをさらに含む、
ことを特徴とする請求項１５に記載の食品調理機用スタンド。
【請求項１８】
前記コンデンサアセンブリ及び前記電源基板アセンブリが前記動力アセンブリの両側にそれぞれ設けられる、
ことを特徴とする請求項１７に記載の食品調理機用スタンド。
【請求項１９】
前記スタンドに前記食品調理機の動作状態を表示するための表示アセンブリが取り付けられ、前記電源基板アセンブリが前記表示アセンブリと電気的に接続され、且つ前記表示アセンブリの下方に設けられる、
ことを特徴とする請求項１５〜１８のいずれか一項に記載の食品調理機用スタンド。
【請求項２０】
前記表示アセンブリが前記スタンドの前側に設けられる、
ことを特徴とする請求項１９に記載の食品調理機用スタンド。
【請求項２１】
前記食品処理部材が刃物アセンブリであり、前記動力アセンブリがモータ及び前記モータの下部に設けられるインペラを含む、
ことを特徴とする請求項１５に記載の食品調理機用スタンド。
【請求項２２】
前記動力アセンブリはモータを含み、前記モータのステータコアは、
環状のステータヨーク部と、複数のステータティース部とを含み、
前記ステータヨーク部の幅がＷであり、複数の前記ステータティース部は前記ステータヨーク部の内周面に設けられ、隣接する２つの前記ステータティース部の間にステータスロットが形成され、複数の前記ステータティース部によって前記ステータヨーク部と同軸になるステータ孔が画定され、各前記ステータティース部が前記ステータヨーク部に接続されたステータティース部本体及び前記ステータティース部本体の内端に設けられたステータティースシューを含み、各前記ステータティース部本体の幅がＶであり、Ｗ：Ｖ＝０．６〜０．７である、
ことを特徴とする請求項１５に記載の食品調理機用スタンド。
【請求項２３】
前記動力アセンブリはモータを含み、前記モータのステータコアは、
環状のステータヨーク部と、複数のステータティース部と、を含み、
前記複数のステータティース部が前記ステータヨーク部の内周面に設けられ、隣接する２つの前記ステータティース部の間にステータスロットが形成され、複数の前記ステータティース部によって前記ステータヨーク部と同軸になるステータ孔が画定され、前記ステータ孔内に前記ステータ孔と同軸になる回転可能なロータコアが設けられ、前記ステータヨーク部の最大径方向寸法がＤであり、前記ロータコアの最大径方向寸法がｄであり、Ｄ及びｄが０．４≦ｄ／Ｄ≦０．５５を満たす、
ことを特徴とする請求項１５に記載の食品調理機用スタンド。
【請求項２４】
前記動力アセンブリはモータを含み、前記モータがインバータブラシレスモータである、
ことを特徴とする請求項１５に記載の食品調理機用スタンド。
【請求項２５】
請求項１５〜２４のいずれか一項に記載の食品調理機用スタンドを含む、
ことを特徴とする食品調理機。
【請求項２６】
調理容器内に食物を盛るための食物収容室が形成される調理容器と、
動力アセンブリと、
食物を処理するための食品処理部材であって、前記食物収容室内に入り込み、且つ前記動力アセンブリの駆動で前記調理容器に対して回転する食品処理部材と、
前記動力アセンブリと電気的に接続される請求項１〜１４のいずれか一項に記載の電源基板アセンブリと、を含む、
ことを特徴とする食品調理機。
【請求項２７】
前記動力アセンブリはモータを含み、前記モータのステータコアは、
環状のステータヨーク部と、複数のステータティース部とを含み、
前記ステータヨーク部の幅がＷであり、複数の前記ステータティース部は前記ステータヨーク部の内周面に設けられ、隣接する２つの前記ステータティース部の間にステータスロットが形成され、複数の前記ステータティース部によって前記ステータヨーク部と同軸になるステータ孔が画定され、各前記ステータティース部が前記ステータヨーク部に接続されたステータティース部本体及び前記ステータティース部本体の内端に設けられたステータティースシューを含み、各前記ステータティース部本体の幅がＶであり、Ｗ：Ｖ＝０．６〜０．７である、
ことを特徴とする請求項２６に記載の食品調理機。
【請求項２８】
前記動力アセンブリはモータを含み、前記モータのステータコアは、
環状のステータヨーク部と、複数のステータティース部とを含み、
前記複数のステータティース部が前記ステータヨーク部の内周面に設けられ、隣接する２つの前記ステータティース部の間にステータスロットが形成され、複数の前記ステータティース部によって前記ステータヨーク部と同軸になるステータ孔が画定され、前記ステータ孔内に前記ステータ孔と同軸になる回転可能なロータコアが設けられ、前記ステータヨーク部の最大径方向寸法がＤであり、前記ロータコアの最大径方向寸法がｄであり、Ｄ及びｄが０．４≦ｄ／Ｄ≦０．５５を満たす、
ことを特徴とする請求項２６に記載の食品調理機。
【請求項２９】
前記食品調理機は撹拌機、高速ブレンダー、スロージューサー、ジューサー又は豆乳機である、
ことを特徴とする請求項２５〜２８のいずれか一項に記載の食品調理機。
【発明の詳細な説明】
【技術分野】
【０００１】
本発明は、食品調理機の技術分野に関し、より詳細には、食品調理機及び食品調理機用電源基板アセンブリ、スタンドに関する。
（関連出願の相互参照）
本開示は、広東美的生活電器製造有限公司が２０１８年０３月０７日に提出した、出願番号が第２０１８２０３１５６６９．３号、第２０１８１０１８７８４３．５号、第２０１８１０１８６１５３．８号、及び第２０１８２０３１６１１７．４号である中国特許出願の優先権を主張する。
【背景技術】
【０００２】
関連技術における、例えば高速ブレンダーなどの食品調理機は、その電源基板及びフィルタリング基板（例えばＥＭＣ基板）が常に２つの取り付けブラケットを用いてそれぞれハウジング内に取り付けられているため、電源基板、及びフィルタリング基板が大きな空間を占有することを引き起こし、食品調理機の小型化に役立たず、製造コストをも増加させると同時に、電源基板とフィルタリング基板との間のリード線配線の乱雑を引き起こしやすく、メンテナンスの難易度を増大させる。
【発明の概要】
【発明が解決しようとする課題】
【０００３】
本発明は、従来技術に存在する技術的問題の１つを少なくとも解決することを目的とする。このため、本発明は、構造がシンプルで、占有空間が小さく、且つ配線しやすい食品調理機用電源基板アセンブリを提供する。
【０００４】
本発明は、上記の食品調理機用電源基板アセンブリを有するスタンドをさらに提供する。
【０００５】
本発明は、上記の食品調理機用スタンドを有する食品調理機をさらに提供する。
【０００６】
本発明は、上記の食品調理機用電源基板アセンブリを有する食品調理機をさらに提供する。
【課題を解決するための手段】
【０００７】
本発明の第１の側面の実施例による食品調理機用電源基板アセンブリは、取り付けブラケット、電源基板及びフィルタリング基板を含み、前記電源基板及び前記フィルタリング基板は、前記取り付けブラケットの互いに背向する両側にそれぞれ取り付けられ、前記電源基板及び前記フィルタリング基板は、ワイヤを介して電気的に接続される。
【０００８】
本発明の実施例による食品調理機用電源基板アセンブリは、取り付けブラケットを設置するとともに、電源基板及びフィルタリング基板を取り付けブラケットの互いに背向する両側にそれぞれ取り付けることにより、取り付け部材を節約し、電源基板アセンブリの空間占有を減少させるとともに、電源基板とフィルタリング基板との間の接続ワイヤの配線を簡素化させ、メンテナンスの難易度を低減させる。
【０００９】
また、本発明の上記の実施例による食品調理機用電源基板アセンブリは、下記の追加の技術的特徴をも有する。
本発明の実施例による食品調理機用電源基板アセンブリは、前記電源基板がねじ止め及び係止構造のうちの少なくとも１つを介して前記取り付けブラケットに固定され、且つ／又は前記フィルタリング基板がねじ止め及び前記係止構造のうちの少なくとも１つを介して前記取り付けブラケットに固定される。
【００１０】
本発明のいくつかの例では、前記取り付けブラケットに複数の第１係止フック及び複数の第２係止フックが設けられ、複数の前記第１係止フックが前記電源基板に係止され、複数の前記第２係止フックが前記フィルタリング基板に係止される。
【００１１】
本発明のいくつかの例では、前記取り付けブラケットは、互いに対向する２対の両端を含み、前記電源基板の対向する両端を前記取り付けブラケットに係止させるように、複数の前記第１係止フックが前記取り付けブラケットの対向する１対の両端に設けられ、且つ各端に少なくとも１つの前記第１係止フックが設けられ、前記フィルタリング基板を前記取り付けブラケットに係止させるように、複数の前記第２係止フックが前記取り付けブラケットの他方の対向する１対の両端に設けられ、且つ各端に少なくとも１つの第２係止フックが設けられる。
【００１２】
本発明のいくつかの例では、前記第１係止フック及び前記第２係止フックのうちの少なくとも１つは、一端が前記取り付けブラケットに接続されるアーム部と、前記アーム部の他端に設けられ、前記アーム部の側面から突出するとともに、前記電源基板又は前記フィルタリング基板が前記取り付けブラケットに取り付けられる際に、前記電源基板又は前記フィルタリング基板をストッパすることに適するフック部と、を含む。
【００１３】
本発明のいくつかの例では、前記アーム部は板状に形成され、前記アーム部と前記取り付けブラケットとの接続箇所に補強構造が設けられる。
【００１４】
本発明のいくつかの例では、前記取り付けブラケットの前記電源基板に向かう側面に突出した第１支持構造が設けられ、前記電源基板が前記第１支持構造に支持され、且つ／又は前記取り付けブラケットの前記フィルタリング基板に向かう側面に突出した第２支持構造が設けられ、前記フィルタリング基板が前記第２支持構造に支持される。
【００１５】
本発明のいくつかの例では、前記第１支持構造及び前記第２支持構造のうちの少なくとも１つは、前記取り付けブラケットの周方向に沿って間隔をあけて設置され、前記電源基板又は前記フィルタリング基板のエッジを支持する複数の縁部支持部、及び／又は前記電源基板又は前記フィルタリング基板の中部を支持するための複数の中部支持部を含む。
【００１６】
本発明のいくつかの例では、前記縁部支持部は、前記第１係止フック又は前記第２係止フックに隣接して設置される支持板を含み、前記支持板が略Ｕ字状に形成され、前記第１係止フック又は前記第２係止フックが前記支持板のＵ字状開口部に設けられる。
【００１７】
本発明のいくつかの実施例では、前記取り付けブラケットの少なくとも一端に前記取り付けブラケットを貫通するとともに、ワイヤを穿設するための通線口が設けられる。
【００１８】
本発明のいくつかの例では、前記電源基板及び前記フィルタリング基板を接続するワイヤが前記通線口内に穿設される。
【００１９】
本発明のいくつかの例では、前記通線口が前記取り付けブラケットのエッジまで延在する開口構造であり、前記通線口にワイヤハネスを係止するためのワイヤ係止構造が設けられる。
【００２０】
本発明のいくつかの例では、前記ワイヤ係止構造は、一端が前記取り付けブラケットのエッジに接続され、前記取り付けブラケットのエッジと共に前記通線口を画定するワイヤ係止板と、前記ワイヤ係止板の前記取り付けブラケットのエッジに向かう内面に設けられ、且つ前記ワイヤ係止板の他端に隣接して設置される係止凸部と、を含む。
【００２１】
本発明のいくつかの例では、前記電源基板及び前記フィルタリング基板のエッジに前記ねじ止めを固定させるための固定孔がそれぞれ設けられる。
【００２２】
本発明の第２の側面の実施例による食品調理機用スタンドは、前記食品調理機の調理容器が前記スタンドに着脱可能に設けられ、前記スタンドは、内部に取り付けキャビティが形成されるハウジングと、前記取り付けキャビティ内に設けられ、且つ前記調理容器が前記スタンドに設けられる際に、食品処理部材の前記調理容器に対する回転を駆動するように、前記調理容器内に入り込む前記食品処理部材と伝動的に接続される動力アセンブリと、前記ハウジングの上部に取り付けられ、前記動力アセンブリの後上方に位置し、且つ前記調理容器が前記スタンドに置かれる際に、前記調理容器にカップリングし接続されるカプラと、前記取り付けキャビティ内に設けられ、且つ前記動力アセンブリと電気的に接続され、前記カプラと水平方向においてずらして設置される、本発明の第１の側面の実施例による電源基板アセンブリと、を含む。
【００２３】
さらに、前記電源基板アセンブリの垂直投影が前記カプラの垂直投影と重ならない。
【００２４】
本発明の実施例による食品調理機用スタンドは、前記取り付けキャビティ内に設けられ、且つ前記電源基板アセンブリから離れるように設置されるコンデンサアセンブリをさらに含む。
【００２５】
さらに、前記コンデンサアセンブリ及び前記電源基板アセンブリが前記動力アセンブリの両側にそれぞれ設けられる。
【００２６】
本発明のいくつかの実施例によれば、前記スタンドに前記食品調理機の動作状態を表示するための表示アセンブリが取り付けられ、前記電源基板アセンブリが前記表示アセンブリと電気的に接続され、且つ前記表示アセンブリの下方に設けられる。
【００２７】
さらに、前記表示アセンブリが前記スタンドの前側に設けられる。
【００２８】
本発明のいくつかの実施例では、前記食品処理部材が刃物アセンブリであり、前記動力アセンブリは、モータ及び前記モータの下部に設けられたインペラを含む。
【００２９】
本発明のいくつかの実施例では、前記動力アセンブリは、モータを含み、前記モータのステータコアは、環状のステータヨーク部と、複数のステータティース部と、を含み、前記ステータヨーク部の幅がＷであり、複数の前記ステータティース部は前記ステータヨーク部の内周面に設けられ、隣接する２つの前記ステータティース部の間にステータスロットが形成され、複数の前記ステータティース部によって前記ステータヨーク部と同軸になるステータ孔が画定され、各前記ステータティース部が前記ステータヨーク部に接続されたステータティース部本体及び前記ステータティース部本体の内端に設けられたステータティースシューを含み、各前記ステータティース部本体の幅がＶであり、Ｗ：Ｖ＝０．６〜０．７である。
【００３０】
本発明のいくつかの実施例では、前記動力アセンブリは、モータを含み、前記モータのステータコアは、環状のステータヨーク部と、複数のステータティース部と、を含み、前記複数のステータティース部は前記ステータヨーク部の内周面に設けられ、隣接する２つの前記ステータティース部の間にステータスロットが形成され、複数の前記ステータティース部によって前記ステータヨーク部と同軸になるステータ孔が画定され、前記ステータ孔内に前記ステータ孔と同軸になる回転可能なロータコアが設けられ、前記ステータヨーク部の最大径方向寸法がＤであり、前記ロータコアの最大径方向寸法がｄであり、Ｄ及びｄが０．４≦ｄ／Ｄ≦０．５５を満たす。
【００３１】
本発明のいくつかの実施例によれば、前記動力アセンブリは、モータを含み、前記モータがインバータブラシレスモータである。
【００３２】
本発明の第３の側面の実施例による食品調理機は、本発明の第２の側面の実施例による食品調理機用スタンドを含む。
【００３３】
本発明の第３の側面の実施例による食品調理機は、内部に食物を盛るための食物収容室が形成される調理容器と、動力アセンブリと、食物を処理するための食品処理部材であって、前記食物収容室内に入り込み、且つ前記動力アセンブリの駆動で前記調理容器に対して回転する食品処理部材と、前記動力アセンブリと電気的に接続される、本発明の第１の側面の実施例による電源基板アセンブリと、を含む。
【００３４】
本発明のいくつかの実施例によれば、前記動力アセンブリは、モータを含み、前記モータのステータコアは、環状のステータヨーク部と、複数のステータティース部と、を含み、前記ステータヨーク部の幅がＷであり、複数の前記ステータティース部は前記ステータヨーク部の内周面に設けられ、隣接する２つの前記ステータティース部の間にステータスロットが形成され、複数の前記ステータティース部によって前記ステータヨーク部と同軸になるステータ孔が画定され、各前記ステータティース部が前記ステータヨーク部に接続されたステータティース部本体及び前記ステータティース部本体の内端に設けられたステータティースシューを含み、各前記ステータティース部本体の幅がＶであり、Ｗ：Ｖ＝０．６〜０．７である。
【００３５】
本発明のいくつかの実施例によれば、前記動力アセンブリは、モータを含み、前記モータのステータコアは、環状のステータヨーク部と、複数のステータティース部と、を含み、前記複数のステータティース部は前記ステータヨーク部の内周面に設けられ、隣接する２つの前記ステータティース部の間にステータスロットが形成され、複数の前記ステータティース部によって前記ステータヨーク部と同軸になるステータ孔が画定され、前記ステータ孔内に前記ステータ孔と同軸になる回転可能なロータコアが設けられ、前記ステータヨーク部の最大径方向寸法がＤであり、前記ロータコアの最大径方向寸法がｄであり、Ｄ及びｄが０．４≦ｄ／Ｄ≦０．５５を満たす。
【００３６】
好ましくは、前記食品調理機は、撹拌機、高速ブレンダー、スロージューサー、ジューサー又は豆乳機である。本発明の付加的な特徴及び利点の一部は、以下の説明で述べられ、他の一部は以下の説明から明らかになり、或いは本発明を実施することにより知り得る。
【００３７】
本発明の上記及び／又は付加的な特徴及び利点は、下記の図面を参照して実施例を説明することにより、明らかになり、理解しやすくなる。
【図面の簡単な説明】
【００３８】
【図１】本発明の実施例による電源基板アセンブリの正面図である。
【図２】本発明の実施例による電源基板アセンブリの断面図である。
【図３】本発明の実施例による電源基板アセンブリの背面図である。
【図４】本発明の実施例による電源基板アセンブリの分解図である。
【図５】本発明の実施例による電源基板アセンブリの別の分解図である。
【図６】図５における丸Ａ個所の拡大図である。
【図７】図５における丸Ｂ個所の拡大図である。
【図８】本発明の実施例による食品調理機の右側面図である。
【図９】本発明の実施例による食品調理機の正面図である。
【図１０】本発明の実施例によるスタンドのステータアセンブリとロータコアとの嵌合構造の概略図である。
【図１１】本発明の実施例によるスタンドのステータアセンブリの概略構造図である。
【図１２】本発明の実施例によるスタンドのロータコアの概略構造図である。
【発明を実施するための形態】
【００３９】
以下、本発明の実施例について詳細に説明し、前記実施例の例が図面に示されている。以下に図面を参照しながら説明された実施例は、例示するものであり、本発明を解釈するためのものであり、本発明を限定するものであると理解してはいけない。当業者であれば、本発明の要旨を逸脱することなく、これらの実施例に対して種々の変更、修正、置換、及び変形を行うことができ、本発明の範囲は、特許請求の範囲及びその均等範囲によって定義される。
【００４０】
本発明の記述において、用語「中心」、「長さ」、「幅」、「厚さ」、「上」、「下」、「前」、「後」、「左」、「右」、「内」、「外」、「軸方向」、「径方向」及び「周方向」などにより指示される方位又は位置関係は、図面に基づいて示される方位又は位置関係であり、装置又は素子が必ず特定の方位を有し、特定の方位で構築及び操作することを指示又は示唆せず、本発明への説明を容易にし、及び説明を簡単化させるために使用され、したがって、本発明を限定するものであると理解してはならない。さらに、「第１」及び「第２」で限定される特徴は、１つ又はより多くの該特徴を明示的又は暗示的に含んでもよい。本発明の記述において、特に明記しない限り、「複数」は２つ又は２つ以上を意味する。
【００４１】
以下、図面を参照しながら、本発明の第１の側面の実施例による食品調理機２００用電源基板アセンブリ４０について説明する。
【００４２】
図１〜図７に示すように、本発明の実施例による食品調理機２００用電源基板アセンブリ４０は、取り付けブラケット４１、電源基板４３及びフィルタリング基板４２を含んでもよい。
【００４３】
図２に示すように、電源基板４３は、プリント回路基板（ＰＣＢ基板）であってもよく、フィルタリング基板４２は、電磁両立性基板（ＥＭＣ基板）であってもよく、電源基板４３及びフィルタリング基板４２は、取り付けブラケット４１の互いに背向する両側にそれぞれ取り付けられてもよく、つまり、電源基板４３及びフィルタリング基板４２は、取り付けブラケット４１の厚さ方向に沿って相対的に配置されてもよく、且つ、フィルタリング基板４２と電源基板４３との間は、ワイヤを介して電気的に接続されてもよく、他の接続形態によって電気的に接続されてもよい。
【００４４】
これによって、本発明の実施例による食品調理機２００用電源基板アセンブリ４０は、取り付けブラケット４１を設置し且つ電源基板４３及びフィルタリング基板４２を取り付けブラケット４１の互いに背向する両側にそれぞれ取り付けることにより、取り付け部材を節約でき、電源基板４３及びフィルタリング基板４２が１つの取り付けブラケット４１に固定され、構造がよりコンパクトで、電源基板アセンブリ４０の空間占有を減少でき、取り付けがより便利であるとともに、コストがより低い。
【００４５】
電源基板４３及びフィルタリング基板４２がワイヤを介して接続される実施例では、背向式の設置は、電源基板４３とフィルタリング基板４２との間の内部リンクをより短くすることができ、電源基板４３とフィルタリング基板４２との間の接続ワイヤの配線を簡素化することができ、メンテナンスの難易度を低減させる。ワイヤは、電源基板４３及びフィルタリング基板４２の水平方向の両側からそれぞれ接続又は引き出されてもよく、食品調理機２００内のワイヤがより短く、より整然としており、組み立てやすいだけでなく、複数のワイヤ間の電磁両立一致性をよりよくすることができる。
【００４６】
図１及び図３に示すように、本発明のいくつかの実施例では、電源基板４３は、ねじ止め４４又は係止構造又はねじ止め４４及び係止構造によって取り付けブラケット４１の一側に固定されてもよく、フィルタリング基板４２は、ねじ止め４４又は係止構造又はねじ止め４４及び係止構造によって取り付けブラケット４１の他側に固定されてもよく、このように、電源基板４３、フィルタリング基板４２と取り付けブラケット４１の接続の信頼性を保証できる。
【００４７】
図１〜図５に示すように、本発明のいくつかの例では、取り付けブラケット４１は、複数の第１係止フック４１１及び複数の第２係止フック４１２を含み、複数の第１係止フック４１１は、取り付けブラケット４１の一側（図２に示した前側）に位置し、複数の第２係止フック４１２は、取り付けブラケット４１の他側（図２に示した後側）に位置し、複数の第１係止フック４１１が取り付けブラケット４１の対向する１対の両端（図３に示した上端及び下端）に設けられ、且つ、電源基板４３の対向する両端（電源基板４３の上端及び下端）を取り付けブラケット４１に係止させるように、各端に少なくとも１つの係止フックが設けられる。
【００４８】
複数の第２係止フック４１２は、取り付けブラケット４１の他側（図２に示した後側）に位置し、複数の第２係止フック４１２が取り付けブラケット４１の他方の対向する１対の両端（図１に示した左端及び右端）に設けられ、且つ、フィルタリング基板４２を取り付けブラケット４１に係止させるように、各端に少なくとも１つの係止フックが設けられる。
【００４９】
これによって、電源基板４３及びフィルタリング基板４２が強固に固定されることを保証できると同時に、取り付けブラケット４１の異なる位置に第１係止フック４１１及び第２係止フック４１２を設置することにより、取り付けブラケット４１の全体構造の強度を保証できる。
【００５０】
図４〜図７に示すように、本発明のいくつかの実施例では、第１係止フック４１１又は第２係止フック４１２は、アーム部４１２１及びフック部４１２２を含んでもよく、アーム部４１２１の一端（電源基板４３又はフィルタリング基板４２から離れる一端）が取り付けブラケット４１に接続され、アーム部４１２１の他端（電源基板４３又はフィルタリング基板４２に近づく一端）にフック部４１２２が設けられ、フック部４１２２がアーム部４１２１の側面から突出し、例えば、図６、図７に示すように、フック部４１２２が取り付けブラケット４１の中心線方向に向かい、電源基板４３又はフィルタリング基板４２は、フック部４１２２によって取り付けブラケット４１に係止され、それにより電源基板４３又はフィルタリング基板４２を止め、電源基板４３及びフィルタリング基板４２と取り付けブラケット４１との接続の信頼性を保証できる。
【００５１】
図６、図７に示すように、本発明のいくつかの例では、構造強度を保証し、係止フック（第１係止フック４１１及び第２係止フック４１２を含む）の損傷を避けるために、アーム部４１２１と取り付けブラケット４１との接続箇所に補強構造４１２３が設けられ、例えば、補強構造４１２３は、補強リブであってもよく、それにより使用の信頼性を向上させる。
【００５２】
図４、図５に示すように、本発明のいくつかの実施例では、取り付けブラケット４１の電源基板４３に向かう側面（図５に示した後側）に第１支持構造が設けられ、第１支持構造が取り付けブラケット４１の後側面から突出し、それにより電源基板４３を支持し、電源基板４３と取り付けブラケット４１の表面との間に一定の隙間が存在することを保証し、さらに電源基板アセンブリ４０全体の安全性を保証し、電源基板４３の不用意な損傷による全体損傷を避ける。
【００５３】
取り付けブラケット４１のフィルタリング基板４２に向かう側面（図４に示した前側）に第２支持構造が設けられ、第２支持構造が取り付けブラケット４１の前側面から突出し、それによりフィルタリング基板４２を支持し、フィルタリング基板４２と取り付けブラケット４１の表面との間に一定の隙間が存在することを保証し、さらに電源基板アセンブリ４０全体の安全性を保証し、フィルタリング基板４２の不用意な損傷による全体損傷を避ける。
【００５４】
図４及び図５に示すように、本発明のいくつかの例では、第１支持構造又は第２支持構造又は第１支持構造及び第２支持構造におけるいずれか１つは、いずれも複数の縁部支持部４１３及び中部支持部４１４を含み、複数の縁部支持部４１３が取り付けブラケット４１の周方向に沿って間隔をあけて配置され、電源基板４３又はフィルタリング基板４２のエッジは、縁部支持部４１３に支持されてもよく、電源基板４３又はフィルタリング基板４２の中部は、中部支持部４１４に支持されてもよく、それにより電源基板４３又はフィルタリング基板４２の力受けの均一性を保証し、ストレス集中を避けると同時に、電源基板アセンブリ４０の全体重量を軽減させ、コストを低減させることができる。
【００５５】
図４、図５に示すように、本発明のいくつかの例では、縁部支持部４１３は、支持板を含み、支持板は、第１係止フック４１１又は第２係止フック４１２に隣接して配置され、且つ支持板が略Ｕ字状に形成され、第１係止フック４１１又は第２係止フック４１２がＵ字状支持板の開口部に設けられる。
【００５６】
図１及び図４に示すように、本発明のいくつかの実施例では、フィルタリング基板４２と電源基板４３との間の接続ワイヤの配線を簡素化させるために、取り付けブラケット４１の少なくとも一端に通線口４１５が設けられ、例えば、図１において、取り付けブラケット４１の左右両端にいずれも通線口４１５が設けられ、通線口４１５が取り付けブラケット４１の厚さ方向を貫通し、それにより電源基板４３とフィルタリング基板４２との間の接続ワイヤの長さを短くさせ、配線を効果的に簡素化させ、後期メンテナンスを容易にする。
【００５７】
図１及び図４に示すように、本発明のいくつかの例では、通線口４１５が開口構造であり、取り付けブラケット４１のエッジまで延在し、且つ、通線口４１５にワイヤ係止構造４１６が設けられ、使用者がワイヤ係止構造４１６を介して通線口４１５を通過するワイヤを係止することができ、それによりワイヤの乱雑を避け、後期メンテナンスの難易度を低減させる。
【００５８】
図４に示すように、本発明のいくつかの例では、ワイヤ係止構造４１６は、ワイヤ係止板４１６１及び係止凸部４１６２を含み、ワイヤ係止板４１６１の一端（図４に示した下端）が取り付けブラケット４１のエッジに接続され、通線口４１５は、ワイヤ係止板４１６１及び取り付けブラケット４１のエッジによって共に形成され、係止凸部４１６２がワイヤ係止板４１６１の他端に設けられ、且つワイヤ係止板４１６１の取り付けブラケット４１のエッジに向かう内面に位置し、それにより係止凸部４１６２によって通線口４１５内に位置するワイヤを係止し、配線を簡素化させるという効果を達成する。
【００５９】
図１及び図３に示すように、本発明のいくつかの例では、電源基板４３及びフィルタリング基板４２と取り付けブラケット４１との接続の信頼性を保証するために、電源基板４３及びフィルタリング基板４２のエッジにそれぞれ固定孔が設けられ、ねじ止め４４は固定孔と係合することにより、電源基板４３及びフィルタリング基板４２を取り付けブラケット４１の互いに背向する両側面にそれぞれ接続する。
【００６０】
発明者らの以下の事実及び課題に対する発見と認識に基づき、本願は、第２の側面の実施例による食品調理機２００用スタンド１００を提供する。
【００６１】
調理機は、主に、カップ本体アセンブリ、及びスタンドアセンブリという２つの部分で構成され、スタンドアセンブリは、上蓋アセンブリ、動力アセンブリ、及び駆動板アセンブリなどを含み、関連機能の制御を実現するように、カップ本体アセンブリ及びスタンドアセンブリの間は、カプラを介して接続される。
【００６２】
関連技術において、調理機の電気制御システムは、常に調理機の後端に設けられ、且つカプラの下方に位置する。カプラのシールが故障するか又は異常オーバーフローが発生する場合、調理機の外部の液体が電気制御システムに流入する可能性があり、調理機が動作できなくなり、ひいては安全リスクをもたらす。且つ、調理機の動力アセンブリは一般的にユニバーサルモータであり、ユニバーサルモータはカーボンブラシによって整流する必要があり、カーボンブラシが動作中に絶えず摩耗されるため、ユニバーサルモータの寿命が低くなり、さらに調理機の機械全体の寿命が低く、且つ騒音が大きく、使用者体感がよくないことを引き起こす。
【００６３】
以下、図面を参照しながら、本発明の第２の側面の実施例による食品調理機２００用スタンド１００について説明する。
【００６４】
図８及び図９に示すように、食品調理機２００の調理容器２１０がスタンド１００に設けられてもよく、好ましくは、調理容器２１０はカップ本体アセンブリであってもよい。且つ、調理容器２１０が着脱可能で、使用中に、食物を出し入れして及び調理容器２１０を洗浄するように、使用者は調理容器２１０を取り外すことができる。
【００６５】
本発明の実施例による食品調理機２００用スタンド１００は、ハウジング１０、動力アセンブリ２０、カプラ３０及び駆動板アセンブリを含んでもよく、駆動板アセンブリは本発明の第１の側面の実施例による電源基板アセンブリ４０であってもよい。
【００６６】
具体的には、ハウジング１０内に取り付けキャビティ１０１が形成されてもよく、動力アセンブリ２０が取り付けキャビティ１０１内に設けられてもよく、且つ調理容器２１０がスタンド１００に設けられる際に、動力アセンブリ２０は、調理容器２１０内に入り込む食品処理部材と伝動的に接続されてもよい。これによって、食品処理部材は、動力アセンブリ２０の駆動で調理容器２１０に対して回転でき、さらに調理容器２１０内の食物を処理することができる。
【００６７】
また、カプラ３０がハウジング１０の上部に取り付けられ、且つ動力アセンブリ２０の後上方に位置してもよく、調理容器２１０がスタンド１００に置かれる際に、カプラ３０は、調理容器２１０にカップリングし接続されてもよく、動力アセンブリ２０は、調理容器２１０と伝動的に接続されてもよく、カプラ３０と動力アセンブリ２０との接続構造が互いに干渉せず、構造設計がより合理的である。
【００６８】
具体的には、カプラ３０は、上カプラ及び下カプラを含んでもよく、上カプラが調理容器２１０に設けられてもよく、下カプラがハウジング１０の後方の上部に設けられ、且つ動力アセンブリ２０の後上方に位置してもよく、上カプラと下カプラとのカップリング接続によって、スタンド１０と調理容器２１０との電気的接続及び信号接続を実現し、スタンド１０内の電源基板アセンブリ４０がカプラ３０を介して調理容器２１０に対して機能制御を行うことを可能にする。
【００６９】
電源基板アセンブリ４０が取り付けキャビティ１０１内に設けられてもよく、且つ電源基板アセンブリ４０が動力アセンブリ２０と電気的に接続されてもよく、電源基板アセンブリ４０が動力アセンブリ２０の動作状況を制御することを可能にする。また、水平方向において、電源基板アセンブリ４０及びカプラ３０はずらして設置されてもよく、つまり、電源基板アセンブリ４０の設置位置はオーバーフロー領域を避けてもよい。
【００７０】
これによって、カプラ３０のシールが故障するか、又は使用者が洗浄して異常オーバーフローが発生する場合、液体がカプラ３０の対応する位置から下向きに取り付けキャビティ１０１に流入しても、液体が電源基板アセンブリ４０に流入せず、電源基板アセンブリ４０が浸水で正常に動作できず又は安全事故が発生することを効果的に防止することができ、さらにスタンド１００の耐用年数及び安全性を向上させ、メンテナンス率を低減させる。
【００７１】
本発明の実施例による食品調理機２００用スタンド１００の電源基板アセンブリ４０とカプラ３０は水平方向において位置をずらして、電源基板アセンブリ４０が浸水で正常に動作できない状況又は安全事故が発生することを効果的に避け、さらにスタンド１００の耐用年数及び安全性を向上させ、メンテナンス率を低減させる。
【００７２】
本発明の実施例によるスタンド１００は、本発明の第１の側面の実施例による電源基板アセンブリ４０を採用することにより、取り付け部材を効果的に節約し、電源基板アセンブリ４０の空間占有を減少させ、さらにスタンド１００の体積を減少させることに役立ち、食品調理機２００の小型化を実現するとともに、電源基板４３とフィルタリング基板４２との間の配線を簡素化させ、メンテナンスの難易度を低減させることができる。
【００７３】
なお、本発明において、電源基板アセンブリ４０とカプラ３０は、水平方向において部分的にずらしてもよく、完全にずらしてもよく、電源基板アセンブリ４０の浸水を防止するように電源基板アセンブリ４０がオーバーフロー領域を避けるという要件を満足すればよい。換言すれば、電源基板アセンブリ４０の垂直投影とカプラ３０の垂直投影は部分的に重なってもよく、当然のことながら、電源基板アセンブリ４０の垂直投影とカプラ３０の垂直投影はまったく重ならなくてもよく、電源基板アセンブリ４０がオーバーフロー領域を完全に避けることをさらに保証し、より安全且つ確実である。例えば、図８に示した具体例では、カプラ３０がハウジング１０の後端に設けられてもよく、電源基板アセンブリ４０が取り付けキャビティ１０１の前端に設けられてもよく、電源基板アセンブリ４０をオーバーフロー領域から離れさせる。
【００７４】
本発明のいくつかの実施例によれば、図８に示すように、スタンド１００は、コンデンサアセンブリ５０をさらに含んでもよく、コンデンサアセンブリ５０は動力アセンブリ２０に安定した電源を供給し、動力アセンブリ２０の動作をより安定的にすることができる。しかしながら、コンデンサアセンブリ５０の容量が大きいため、回路異常故障が発生する過程で、コンデンサアセンブリ５０に爆裂が発生しやすく、コンデンサアセンブリ５０における電解液が噴出するようになる。本発明において、コンデンサアセンブリ５０が取り付けキャビティ１０１内に設けられ、且つコンデンサアセンブリ５０が電源基板アセンブリ４０から離れるように設置され、これによって、コンデンサアセンブリ５０に爆裂が発生しても、電解液が電源基板アセンブリ４０上に散布することなく、電源基板アセンブリ４０に機能異常や、発火などの安全事故が発生する状況を防止できる。
【００７５】
さらに、図８に示すように、コンデンサアセンブリ５０及び電源基板アセンブリ４０が動力アセンブリ２０の両側にそれぞれ設けられてもよく、例えば、コンデンサアセンブリ５０が動力アセンブリ２０の後側に設けられてもよく、電源基板アセンブリ４０が動力アセンブリ２０の前側に設けられてもよい。電源基板アセンブリ４０は、コンデンサアセンブリ５０から離れることができるだけではなく、動力アセンブリ２０が電源基板アセンブリ４０及びコンデンサアセンブリ５０を間隔することができ、電源基板アセンブリ４０に電解液が散布されないようにさらに保護し、より安全である。
【００７６】
本発明のいくつかの実施例では、図８に示すように、スタンド１００は表示アセンブリ６０をさらに含んでもよく、表示アセンブリ６０は電源基板アセンブリ４０と電気的に接続されてもよく、表示アセンブリ６０が食品調理機２００の動作状態を表示することに用いることができる。本発明のさらなる実施例では、表示アセンブリ６０に操作キーを有してもよく、使用者は操作キーによって電源基板アセンブリ４０を制御し、さらに食品調理機２００の動作モード及び状態などを制御することができ、より使用しやすい。
【００７７】
また、電源基板アセンブリ４０が表示アセンブリ６０の下方に設けられてもよく、表示アセンブリ６０が水源に連通せず、且つ使用者が使用又は洗浄するプロセスにおいて、表示アセンブリ６０と液体との接触を意図的に防止するため、電源基板アセンブリ４０を表示アセンブリ６０の下方に設けることにより、電源基板アセンブリ４０の浸水をさらに防止することができる。
【００７８】
本発明のさらなる実施例によれば、図８に示すように、表示アセンブリ６０がスタンド１００の前側に設けられてもよく、使用者が食品調理機２００の動作状態を観察しやすい。さらに、表示アセンブリ６０は、水平方向に沿って前向き且つ下向きに傾斜して設置されてもよく、且つ表示アセンブリ６０と調理容器２１０は水平方向においてずらしており、つまり、表示アセンブリ６０が前に調理容器２１０から突出する。これによって、表示アセンブリ６０の下方の電源基板アセンブリ４０は水平方向において調理容器２１０とずらしてもよく、調理容器２１０とスタンド１００との接続領域にオーバーフローの発生による電源基板アセンブリ４０の損傷を防止する。
【００７９】
本発明のいくつかの具体例では、電源基板アセンブリ４０は、図８及び図９に示すように、食品処理部材は刃物アセンブリであってもよく、動力アセンブリ２０は、モータ２１及びインペラ２２を含んでもよい。モータ２１は刃物アセンブリと伝動的に接続されてもよく、食物に対して切断などの処理を行うように、モータ２１が刃物アセンブリの回転を駆動できる。インペラ２２がモータ２１の下部に設けられてもよく、モータ２１がインペラ２２の回転を同時に駆動でき、モータ２１に放熱させ、モータ２１の熱量が高すぎることによる焼損又は安全事故の発生を防止するように、インペラ２２が気流の流れを駆動することができる。
【００８０】
さらに、図８及び図９に示すように、スタンド１００は、導風筒７０及び導風底板７１をさらに含んでもよく、導風筒７０がモータ２１の外に嵌設されてもよく、導風底板７１がハウジング１０の下端に設けられ、且つインペラ２２の下側に位置してもよく、導風筒７０の下端が導風底板７１に接続されてもよい。インペラ２２の駆動で、気流が導風筒７０のガイド作用で流れることができ、最終的に導風底板７１のガイド作用で空気出口から流出し、導風筒７０及び導風底板７１が気流の流れをよりスムーズにさせ、送風量と放熱効果を向上させることができる。
【００８１】
本発明のいくつかの実施例では、図１０〜図１２に示すように、動力アセンブリ２０はモータ２１を含み、モータ２１のステータアセンブリのステータコア２３は、ステータヨーク部２３１及び複数のステータティース部２３２を含んでもよく、ステータヨーク部２３１は環状であってもよく、複数のステータティース部２３２はステータヨーク部２３１の内周面に設けられてもよく、ステータヨーク部２３１は、複数のステータティース部２３２に機械的支持を提供でき、ステータティース部２３２の位置を固定させる。複数のステータティース部２３２がステータヨーク部２３１の周方向に沿って間隔をあけて分布してもよく、隣接する２つのステータティース部２３２の間にステータスロット２３３が形成されてもよく、モータ２１の巻線２４は、ステータスロット２３３を介してステータティース部２３２に巻き取ることができる。
【００８２】
また、複数のステータティース部２３２は、ステータヨーク部２３１と同軸になるステータ孔２３４を画定することができ、ロータコア２５は、ステータ孔２３４内に設けられてもよく、且つロータコア２５はステータ孔２３４と同軸であってもよい。ロータコア２５がステータ孔２３４内において軸線回りに回転することができ、且つロータコア２５とステータ孔２３４の内周面との間は所定の距離を間隔することにより、ロータコア２５の回転をより円滑にすることができる。
【００８３】
図１０及び図１１に示すように、各ステータティース部２３２は、ステータティース部本体２３５及びステータティースシュー２３６を含んでもよい。ステータティース部本体２３５がステータヨーク部２３１に接続され、ステータティース部２３２とステータヨーク部２３１を一体に接続させることができる。ステータティースシュー２３６がステータティース部本体２３５の内端に設けられ、一方では、ステータティース部２３２とロータコア２５との間のエアギャップ磁気抵抗を減少させ、磁界分布を改善することができ、他方では、ステータティース部２３２に巻回して設けられた巻線２４を固定することができ、巻線２４がステータティース部２３２の内端から抜けることを防止し、巻線２４の固定がより確実である。
【００８４】
また、ステータヨーク部２３１の幅がＷであってもよく、各ステータティース部本体２３５の幅がＶであってもよい。等外形のステータコア２３、即ち、ステータコア２３の最大径方向寸法Ｄが一定である場合、Ｗ：Ｖが小さすぎると、ステータティース部２３２の磁束密度が高すぎ、ひいては磁束密度が飽和になり、モータ２１の動作中にステータティース部２３２の鉄損が大きく、ステータティース部２３２の温度上昇が高すぎることを引き起こす。且つ隣接する２つのステータティース部２３２の間のステータスロット２３３が小さすぎ、隣接する２つのステータティース部２３２の距離が短すぎると、電磁回路を形成しやすく、モータ２１のエネルギー効率をさらに低減させる。
【００８５】
Ｗ：Ｖが大きすぎると、ステータヨーク部２３１の磁束密度が高すぎ、ひいては磁束密度が飽和になり、モータ２１の動作中にステータヨーク部２３１の鉄損が大きく、温度上昇が高すぎるという現象の発生を引き起こす。
【００８６】
したがって、本発明のいくつかの実施例では、ステータヨーク部２３１の幅Ｗ及び各ステータティース部本体２３５の幅ＶがＷ：Ｖ＝０．６〜０．７を満たすことができ、ステータヨーク部２３１及びステータティース部２３２がステータコア２３の磁束密度をより合理的に分配することができ、モータ２１の温度上昇をより均一にし、それによりモータ２１の耐用年数及び安全性を向上させる。例えば、本発明のいくつかの具体例では、ステータヨーク部２３１の幅Ｗとステータティース部本体２３５の幅Ｖとの比Ｗ：Ｖは、それぞれ０．６、０．６３、０．６５、０．６８及び０．７などであってもよい。
【００８７】
また、図１０〜図１２に示すように、ステータヨーク部２３１の最大径方向寸法がＤであり、ロータコア２５の最大径方向寸法がｄである。等外形のステータコア２３の場合、即ち、ステータコア２３の最大径方向寸法Ｄが一定である場合、ｄ／Ｄが小さすぎると、ロータコア２５の最大径方向寸法ｄが小さすぎ、モータ２１が低速で運転し、例えば、モータ２１の回転数＜５０００ｒｐｍである場合、ロータコア２５の負荷能力が小さすぎ、同等の負荷を駆動する運転状態で、最大径方向寸法ｄが小さすぎるロータコア２５が大きく発熱し、モータ２１の正常な運転に影響し、モータ２１の効率を低減させ、ひいては損傷が発生する可能性がある。
【００８８】
ｄ／Ｄが大きすぎると、モータ２１のコギングトルクが大きくなり、ロータコア２５の慣性モーメントが大きくなることを引き起こし、モータ２１が高速で運転し、例えば、モータ２１の回転数＞１００００ｒｐｍである場合、モータ２１に振動が発生し、さらに大きな騒音が発生し、モータ２１の性能と使用者体験に影響する。
【００８９】
したがって、本発明のいくつかの実施例では、ステータヨーク部２３１の最大径方向寸法Ｄとロータコア２５の最大径方向寸法ｄが０．４≦ｄ／Ｄ≦０．５５を満たすことができ、モータ２１のロータコア２５の出力力を向上させることができ、モータ２１の効率がより高く、ロータコア２５の発熱を防止でき、より安全であり、且つモータ２１に大きな振動騒音の発生を防止することができる。例えば、本発明のいくつかの具体例では、ステータヨーク部２３１の最大径方向寸法Ｄとロータコア２５の最大径方向寸法ｄとの比ｄ／Ｄは、それぞれ０．４５、０．４８、０．５１及び０．５４などであってもよい。
【００９０】
なお、本発明のいくつかの実施例では、ステータコア２３及びロータコア２５の外郭は円形である場合、最大径方向寸法は、ステータコア２３及びロータコア２５の円形外郭の直径を意味する。本発明の別のいくつかの実施例では、ステータコア２３及びロータコア２５の外郭は円形ではない場合、最大径方向寸法は、ステータコア２３及びロータコア２５の外郭の軸線を通る径方向寸法が最大となる位置の寸法として理解されてもよい。
【００９１】
本発明のいくつかの実施例では、図８及び図９に示すように、動力アセンブリ２０のモータ２１は、第１ブラケット２６、第２ブラケット２７及び駆動軸２８をさらに含んでもよく、ステータアセンブリ及びロータコア２５に対してストッパ及び保護を行うように、第１ブラケット２６及び第２ブラケット２７がモータ２１のステータアセンブリの軸方向両端にそれぞれ設けられる。駆動軸２８がモータ２１のロータコア２５に接続され、且つロータコア２５の駆動力を出力し、食品処理部材又はインペラ２２などの部材の動作を駆動するように、駆動軸２８が第１ブラケット２６及び第２ブラケット２７のうちの少なくとも１つから延出することに適する。
【００９２】
本発明のいくつかの実施例によれば、動力アセンブリ２０のモータ２１はインバータブラシレスモータであってもよく、食品調理機２００が処理する必要のある食物の異なる種類に応じて、インバータブラシレスモータは異なる回転数、トルク及び時間などを提供することができ、モータ２１を有する食品調理機２００をインテリジェント化させる。また、インバータブラシレスモータがカーボンブラシなどの構造を必要とせずに整流を行い、カーボンブラシ摩耗がなく、運転騒音がより低く、食品調理機２００の耐用年数の向上及び使用者体験の向上に役立つ。
【００９３】
図８及び図９に示すように、本発明の第３の側面の実施例による食品調理機２００は、本発明の第２の側面の実施例による食品調理機２００用スタンド１００を含む。本発明の実施例による食品調理機２００用スタンド１００は、上記の有益な技術的効果を有するため、本発明の実施例による食品調理機２００は構造がコンパクトで、電磁両立一致性に優れ、且つ電源基板アセンブリ４０が浸水で正常に動作できない状況又は安全事故が発生することを効果的に避け、さらに耐用年数及び安全性を向上させ、メンテナンス率を低減させる。
【００９４】
図８及び図９に示すように、本発明の一実施例による食品調理機２００は、調理容器２１０、動力アセンブリ２０、食物を処理するための食品処理部材、及び本発明の第１の側面の実施例による電源基板アセンブリ４０を含む。
【００９５】
電源基板アセンブリ４０は動力アセンブリ２０と電気的に接続され、それにより動力アセンブリ２０に電源を供給することができ、調理容器２１０内に食物収容室が形成され、使用者が食品調理機２００を使用する際に、処理対象食物を食品収容室内に入れることができ、食品処理部材が食品収容室内に入り込み、且つ動力アセンブリ２０の駆動で調理容器２１０に対して回転し、それにより食品収容室内の処理対象食物を処理する。
【００９６】
本発明の実施例による食品調理機２００は、本発明の第１の側面の実施例による電源基板アセンブリ４０を採用することにより、取り付け部材を効果的に節約することができ、電源基板アセンブリ４０の空間占有を減少させ、食品調理機２００の小型化を実現するとともに、電源基板４３とフィルタリング基板４２との間の配線を簡素化させ、メンテナンスの難易度を低減させる。
【００９７】
好ましくは、本発明において、食品調理機２００は、撹拌機、高速ブレンダー、スロージューサー、ジューサー又は豆乳機などであってもよい。撹拌機は回転数が比較的高く、高速撹拌により食物をより均一に混合できる。高速ブレンダーは回転数が高く、比較的硬い食物の処理に使用でき、且つ果皮、果核及び根茎に存在する食物中における大量のフィトケミカルを十分な細胞壁破りによって放出させることができる。スロージューサーは回転数が比較的低く、推進式押出、低柔軟性抽出の方式により食物を処理する。ジューサーは回転数が比較的高く、より多くの種類の食物の粉砕混合を可能にする。豆乳機は回転数が比較的高く、予熱、豆乳漉し、豆乳煮え及び遅延煮詰めプロセスの全自動化などの機能を実現できる。本発明の実施例によるスタンド１００は、より多くの種類の食品調理機２００に適用でき、より多くの使用ニーズを満足し、実用性がより高い。
【００９８】
以下、図面を参照しながら、本発明の１つの具体例による食品調理機２００について詳細に説明し、なお、下記の説明は、例示的なものにすぎず、本発明を制限するものとして理解されるべきではない。
【００９９】
図８及び図９に示すように、食品調理機２００は、調理容器２１０及びスタンド１００を含む。
【０１００】
調理容器２１０内に食品処理部材が設けられ、スタンド１００は、ハウジング１０、動力アセンブリ２０、カプラ３０、電源基板アセンブリ４０、コンデンサアセンブリ５０、表示アセンブリ６０、導風筒７０及び導風底板７１を含む。
【０１０１】
動力アセンブリ２０がハウジング１０の取り付けキャビティ１０１の中部に設けられ、且つ調理容器２１０の下方に位置し、カプラ３０がハウジング１０の後側の上端に設けられ、表示アセンブリ６０がハウジング１０に設けられ、且つ水平方向において調理容器２１０の前側に位置し、電源基板アセンブリ４０が動力アセンブリ２０の前側に設けられ、且つ表示アセンブリ６０の下方に位置し、コンデンサアセンブリ５０が動力アセンブリ２０の後側に設けられ、且つカプラ３０の下方に位置し、導風筒７０が動力アセンブリ２０の外に嵌設され、導風底板７１が動力アセンブリ２０の下方に設けられる。
【０１０２】
また、電源基板アセンブリ４０は、それぞれ動力アセンブリ２０、カプラ３０、コンデンサアセンブリ５０及び表示アセンブリ６０と電気的に接続され、調理容器２１０及びスタンド１００は、カプラ３０によって電気的接続及び信号接続を実現する。
【０１０３】
組み立てプロセスにおいて、食品調理機２００の調理容器２１０、ハウジング１０、動力アセンブリ２０、カプラ３０、電源基板アセンブリ４０、コンデンサアセンブリ５０、表示アセンブリ６０、導風筒７０及び導風底板７１が区画及びモジュール化によって取り付けられてもよく、食品調理機２００の組み立てをより便利及びショートカットにし、且つ食品調理機２００の各部材のレイアウトが合理的で、機械全体の安全度を大幅に向上させる。
【０１０４】
本発明の実施例による食品調理機２００、スタンド１００及び電源基板アセンブリ４０の他の構成及び操作は、当業者には自明であり、ここでは詳細な説明を省略する。なお、本発明の記述において、明確な規定と限定が別途存在しない限り、用語「取り付け」、「連結」、「接続」は広義で解釈されるべきである。例えば、固定接続、着脱可能な接続或いは一体化接続であってもよいし、機械的接続或いは電気的接続であってもよいし、直接連結、中間媒体を介する間接連結、或いは２つの素子内部の連通であってもよい。当業者であれば、具体的な状況に応じて上記用語の本発明での具体的な意味を理解できる。
【０１０５】
本明細書の記述において、用語「実施例」、「具体例」、「例」などの説明は、該実施例又は例に関して記載した具体的な特徴、構造、材料又は特性が本発明の少なくとも１つの実施例又は例に含まれることを意味する。本明細書において、上記用語の例示的記述は同一の実施例又は例を必ずしも意味しない。さらに、干渉又は矛盾しない限り、記載された具体的な特徴、構造、材料又は特性をいずれか１つ又は複数の実施例又は例において、いずれも適当な方式で相互に組み合わせることができる。
【符号の説明】
【０１０６】
食品調理機  ２００
調理容器  ２１０
スタンド  １００
ハウジング  １０
取り付けキャビティ  １０１
動力アセンブリ  ２０
モータ  ２１
インペラ  ２２
ステータコア  ２３
ステータヨーク部  ２３１
ステータティース部  ２３２
ステータスロット  ２３３
ステータ孔  ２３４
ステータティース部本体  ２３５
ステータティースシュー  ２３６
巻線  ２４
ロータコア  ２５
第１ブラケット  ２６
第２ブラケット  ２７
駆動軸  ２８
カプラ  ３０
電源基板アセンブリ  ４０
取り付けブラケット  ４１
第１係止フック  ４１１
第２係止フック  ４１２
アーム部  ４１２１
フック部  ４１２２
補強構造  ４１２３
縁部支持部  ４１３
中部支持部  ４１４
通線口  ４１５
ワイヤ係止構造  ４１６
ワイヤ係止板  ４１６１
係止凸部  ４１６２
フィルタリング基板  ４２
電源基板  ４３
ねじ止め  ４４
コンデンサアセンブリ  ５０
表示アセンブリ  ６０
導風筒  ７０
導風底板  ７１
【図１】
2021513384.tif 000003
【図２】
2021513384.tif 000004
【図３】
2021513384.tif 000005
【図４】
2021513384.tif 000006
【図５】
2021513384.tif 000007
【図６】
2021513384.tif 000008
【図７】
2021513384.tif 000009
【図８】
2021513384.tif 000010
【図９】
2021513384.tif 000011
【図１０】
2021513384.tif 000012
【図１１】
2021513384.tif 000013
【図１２】
2021513384.tif 000014
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
取り付けブラケットと、
電源基板及びフィルタリング基板とを含み、前記電源基板及び前記フィルタリング基板が前記取り付けブラケットの互いに背向する両側にそれぞれ取り付けられ、前記電源基板及び前記フィルタリング基板がワイヤを介して電気的に接続される、
ことを特徴とする食品調理機用電源基板アセンブリ。
【請求項２】
前記電源基板がねじ止め及び係止構造のうちの少なくとも１つを介して前記取り付けブラケットに固定され、且つ／又は
前記フィルタリング基板がねじ止め及び前記係止構造のうちの少なくとも１つを介して前記取り付けブラケットに固定される、
ことを特徴とする請求項１に記載の電源基板アセンブリ。
【請求項３】
前記取り付けブラケットに複数の第１係止フック及び複数の第２係止フックが設けられ、複数の前記第１係止フックが前記電源基板に係止され、複数の前記第２係止フックが前記フィルタリング基板に係止される、
ことを特徴とする請求項２に記載の電源基板アセンブリ。
【請求項４】
前記取り付けブラケットは、互いに対向する２対の両端を含み、前記電源基板の対向する両端を前記取り付けブラケットに係止させるように、複数の前記第１係止フックが前記取り付けブラケットの対向する１対の両端に設けられ、且つ各端に少なくとも１つの前記第１係止フックが設けられ、前記フィルタリング基板を前記取り付けブラケットに係止させるように、複数の前記第２係止フックが前記取り付けブラケットの他方の対向する１対の両端に設けられ、且つ各端に少なくとも１つの第２係止フックが設けられる、
ことを特徴とする請求項３に記載の電源基板アセンブリ。
【請求項５】
前記第１係止フック及び前記第２係止フックのうちの少なくとも１つは、
一端が前記取り付けブラケットに接続されるアーム部と、
前記アーム部の他端に設けられ、前記アーム部の側面から突出するとともに、且つ前記電源基板又は前記フィルタリング基板が前記取り付けブラケットに取り付けられる際に、前記電源基板又は前記フィルタリング基板をストッパすることに適するフック部と、を含む、
ことを特徴とする請求項３又は４に記載の電源基板アセンブリ。
【請求項６】
前記取り付けブラケットの前記電源基板に向かう側面に突出した第１支持構造が設けられ、前記電源基板が前記第１支持構造に支持され、且つ／又は
前記取り付けブラケットの前記フィルタリング基板に向かう側面に突出した第２支持構造が設けられ、前記フィルタリング基板が前記第２支持構造に支持される、
ことを特徴とする請求項３〜５のいずれか一項に記載の電源基板アセンブリ。
【請求項７】
前記第１支持構造及び前記第２支持構造のうちの少なくとも１つは、
前記取り付けブラケットの周方向に沿って間隔をあけて設置され、前記電源基板又は前記フィルタリング基板のエッジを支持する複数の縁部支持部、及び／又は
前記電源基板又は前記フィルタリング基板の中部を支持するための複数の中部支持部、を含む、
ことを特徴とする請求項６に記載の電源基板アセンブリ。
【請求項８】
前記縁部支持部は、
前記第１係止フック又は前記第２係止フックに隣接して設置される支持板を含み、前記支持板が略Ｕ字状に形成され、前記第１係止フック又は前記第２係止フックが前記支持板のＵ字状開口部に設けられる、
ことを特徴とする請求項７に記載の電源基板アセンブリ。
【請求項９】
前記取り付けブラケットの少なくとも一端に前記取り付けブラケットを貫通するとともに、ワイヤを穿設するための通線口が設けられる、
ことを特徴とする請求項１〜８のいずれか一項に記載の電源基板アセンブリ。
【請求項１０】
前記電源基板及び前記フィルタリング基板を接続するワイヤが前記通線口内に穿設される、
ことを特徴とする請求項９に記載の電源基板アセンブリ。
【請求項１１】
前記通線口が前記取り付けブラケットのエッジまで延在する開口構造であり、前記通線口にワイヤハネスを係止するためのワイヤ係止構造が設けられる、
ことを特徴とする請求項９に記載の電源基板アセンブリ。
【請求項１２】
前記ワイヤ係止構造は、
一端が前記取り付けブラケットのエッジに接続され、前記取り付けブラケットのエッジと共に前記通線口を画定するワイヤ係止板と、
前記ワイヤ係止板の前記取り付けブラケットのエッジに向かう内面に設けられ、且つ前記ワイヤ係止板の他端に隣接して設置される、係止凸部と、を含む、
ことを特徴とする請求項１１に記載の電源基板アセンブリ。
【請求項１３】
前記食品調理機の調理容器がスタンドに着脱可能に設けられ、前記スタンドは、
内部に取り付けキャビティが形成されるハウジングと、
前記取り付けキャビティ内に設けられ、且つ前記調理容器が前記スタンドに設けられる際に、食品処理部材の前記調理容器に対する回転を駆動するように、前記調理容器内に入り込む前記食品処理部材と伝動的に接続される動力アセンブリと、
前記ハウジングの上部に取り付けられ、前記動力アセンブリの後上方に位置し、且つ前記調理容器が前記スタンドに置かれる際に、前記調理容器にカップリングし接続されるカプラと、
前記取り付けキャビティ内に設けられ、且つ前記動力アセンブリと電気的に接続され、前記カプラと水平方向においてずらして設置される請求項１〜１２のいずれか一項に記載の電源基板アセンブリと、を含む、
ことを特徴とする食品調理機用スタンド。
【国際調査報告】
2021513384.tif 000015
2021513384.tif 000016
2021513384.tif 000017
2021513384.tif 000018